(57)【要約】【課題】レンズユニットの生産性を安定させる手段を提供する。【解決手段】長手方向に複数のマイクロレンズが配置されたレンズ部材と、前記レンズ部材と積層して配置され、前記レンズ部材を覆う保護部材と、を有し、前記保護部材は、前記レンズ部材の前記長手方向と直交する短手方向において、前記レンズ部材よりも幅が広く形成されている。【選択図】        図２
2018049158.tif 000002
【特許請求の範囲】
【請求項１】
長手方向に複数のマイクロレンズが配置されたレンズ部材と、
前記レンズ部材と積層して配置され、前記レンズ部材を覆う保護部材と、
を有し、
前記保護部材は、
前記レンズ部材の前記長手方向と直交する短手方向において、前記レンズ部材よりも幅が広いことを特徴とするレンズユニット。
【請求項２】
請求項１に記載のレンズユニットにおいて、
前記レンズユニットは、開口を有する保持部材に支持され、
前記保護部材は、前記開口を形成する面部との間が封止材で封止されていることを特徴とするレンズユニット。
【請求項３】
請求項２に記載のレンズユニットにおいて、
前記レンズ部材を挟んで前記保護部材の反対側に設けられた遮光部材を有し、
前記遮光部材は、前記レンズ部材の前記長手方向と直交する短手方向において、前記レンズ部材よりも幅が広く形成され、
前記面部は、前記レンズ部材と前記遮光部材との間に配置され、
前記面部と前記レンズ部材および前記遮光部材との間が前記封止材で封止されることを特徴とするレンズユニット。
【請求項４】
請求項１に記載のレンズユニットにおいて、
前記レンズ部材を前記保護部材に固定する固定部材を有し、
前記保護部材は、前記固定部材と係合する係合部を有し、
前記係合部は、前記保護部材の短手方向における中央部に向かって凸状に傾斜する第１の傾斜部と、前記第１の傾斜部より前記中央部に向かって凹状に傾斜する第２の傾斜部とを有することを特徴とするレンズユニット。
【請求項５】
請求項４に記載のレンズユニットにおいて、
前記固定部材は、前記保護部材の係合部と係合する先端部を有し、
前記第１の傾斜部は、前記レンズ部材および前記保護部材の積層方向において前記先端部を開く方向に変形させ、
前記第２の傾斜部は、前記先端部を引き込み、前記中央部に向けて案内することを特徴とするレンズユニット。
【請求項６】
請求項５に記載のレンズユニットにおいて、
前記第１の傾斜部は、前記保護部材の長手方向における前記固定部材の一端側および他端側に形成された先端当接部と当接する２つの傾斜部として形成され、
前記２つの傾斜部間に切り欠き部が形成されていることを特徴とするレンズユニット。
【請求項７】
請求項６に記載のレンズユニットにおいて、
前記第２の傾斜部は、前記保護部材の長手方向において、前記前記第１の傾斜部が切り欠けられている領域においても前記固定部材と当接していることを特徴とするレンズユニット。
【請求項８】
請求項６または請求項７に記載のレンズユニットにおいて、
前記固定部材は、前記切り欠き部に対応して幅狭部が形成され、
前記切り欠き部と前記幅狭部とが対応し、前記固定部材が前記レンズユニットの第１のレンズ部材、遮光部材、第２のレンズ部材、および入射遮光部材の各部材を挟持する位置に配置されたとき、
前記各部材の短手方向における端面は面一となり、前記固定部材の面部と対向することを特徴とするレンズユニット。
【請求項９】
請求項１から請求項８のいずれかに記載のレンズユニットを有することを特徴とする読取装置。
【請求項１０】
請求項１から請求項８のいずれかに記載のレンズユニットを有することを特徴とするＬＥＤヘッド。
【請求項１１】
請求項１から請求項８のいずれかに記載のレンズユニットを有することを特徴とする露光装置。
【請求項１２】
請求項１０に記載のＬＥＤヘッドまたは請求項１１に記載の露光装置を有することを特徴とする画像形成装置。
【発明の詳細な説明】
【技術分野】
【０００１】
本発明は、レンズユニット、ＬＥＤヘッド、露光装置、画像形成装置および読取装置に関する。
【背景技術】
【０００２】
従来のレンズユニットは、長手方向に複数のマイクロレンズが配置されたレンズプレートを用いたものがある。また、そのレンズユニットを用いたＬＥＤヘッド、露光装置、画像形成装置および読取装置がある（例えば、特許文献１参照）。
【先行技術文献】
【特許文献】
【０００３】
【特許文献１】特開２０１３−０１５８４７号公報
【発明の概要】
【発明が解決しようとする課題】
【０００４】
しかしながら、従来の技術においては、レンズユニットの生産性の安定が求められている。
【０００５】
本発明は、レンズユニットの生産性を安定させることを目的とする。
【課題を解決するための手段】
【０００６】
そのため、本発明は、長手方向に複数のマイクロレンズが配置されたレンズ部材と、前記レンズ部材と積層して配置され、前記レンズ部材を覆う保護部材と、を有し、前記保護部材は、前記レンズ部材の前記長手方向と直交する短手方向において、前記レンズ部材よりも幅が広いことを特徴とする。
【発明の効果】
【０００７】
このようにした本発明は、レンズユニットの生産性を安定させることができるという効果が得られる。
【図面の簡単な説明】
【０００８】
【図１】第１の実施例におけるプリントヘッドの説明図
【図２】第１の実施例におけるプリントヘッドの断面図
【図３】第１の実施例におけるプリントヘッドの断面図
【図４】第１の実施例におけるレンズユニットの斜視図
【図５】第１の実施例におけるレンズユニットの積層構造の説明図
【図６】第１の実施例におけるレンズユニットの積層構造の分解図
【図７】第１の実施例におけるレンズユニットの積層構造の拡大図
【図８】第１の実施例におけるレンズユニットの中央部以外の係合構成の説明図
【図９】第１の実施例におけるレンズユニットの中央部の係合構成の説明図
【図１０】第１の実施例におけるレンズユニットのクランプ構成の説明図
【図１１】第１の実施例におけるプリンタの構成を示す概略側断面図
【図１２】第１の実施例におけるイメージセンサヘッドの断面図
【図１３】第１の実施例におけるイメージスキャナの構成を示す斜視図
【図１４】第２の実施例におけるプリントヘッドの説明図
【図１５】第２の実施例におけるレンズユニットの斜視図
【図１６】第３の実施例におけるプリントヘッドの説明図
【図１７】第３の実施例におけるプリントヘッドの断面図
【図１８】第３の実施例におけるレンズユニットの斜視図
【図１９】第３の実施例におけるレンズユニットの積層構造の説明図
【図２０】第３の実施例におけるレンズユニットの積層構造の拡大図
【図２１】第３の実施例におけるレンズユニットの積層構造の拡大図
【図２２】第３の実施例におけるレンズユニットの積層構造の拡大図
【図２３】第３の実施例におけるレンズユニットの積層構造の拡大図
【図２４】第３の実施例におけるレンズユニットのクランプ構造の拡大図
【図２５】第３の実施例におけるレンズカバープレートの凹部の説明図
【図２６】第３の実施例におけるレンズカバープレートの凹部の断面図
【図２７】第３の実施例におけるレンズカバープレートの凹部の断面図
【図２８】第３の実施例におけるクランプ部材の説明図
【図２９】第３の実施例におけるクランプ部材をレンズユニットに嵌め込む動作の説明図
【図３０】第３の実施例におけるレンズユニットおよびクランプ部材の断面図
【図３１】第３の実施例におけるクランプ部材をレンズユニットに嵌め込み後の説明図
【図３２】第３の実施例におけるレンズユニットおよびクランプ部材の断面図
【発明を実施するための形態】
【０００９】
以下、図面を参照して本発明によるレンズユニット、ＬＥＤヘッド、露光装置、画像形成装置および読取装置の実施例を説明する。
【実施例１】
【００１０】
図１は第１の実施例におけるプリントヘッドの説明図、図２および図３は第１の実施例におけるプリントヘッドの断面図である。図１（ａ）はプリントヘッドの斜視図、図１（ｂ）はプリントヘッドの平面図である。また、図２は図１（ａ）におけるＸ−Ｘ矢視断面図、図３は図１（ａ）におけるＹ−Ｙ矢視断面図である。
【００１１】
本実施例のプリントヘッドを図１から図３を用いて説明する。
【００１２】
図１に示すように、露光装置およびＬＥＤ（Ｌｉｇｈｔ  Ｅｍｉｔｔｉｎｇ  Ｄｉｏｄｅ）ヘッドとしてのプリントヘッド１０１は、レンズユニット１０２がレンズホルダ１０９に保持されて構成されている。
【００１３】
図２および図３に示すように、レンズユニット１０２は、半導体発光素子１０７の光軸１０７ａ方向における半導体発光素子１０７の反対側（図中上側）から順に、レンズカバープレート１０３、第１レンズアレイプレート１０４ａ、隔壁遮光プレート１０５、第２レンズアレイプレート１０４ｂ、および入射遮光プレート１０６の各部材が積層され、構成されている。
【００１４】
保護部材としてのレンズカバープレート１０３は、第１レンズアレイプレート１０４ａと積層して配置され、第１レンズアレイプレート１０４ａを覆うものであり、レンズユニット１０２を保護するものである。レンズカバープレート１０３は、第１レンズアレイプレート１０４ａの長手方向と直交する短手方向において、第１レンズアレイプレート１０４ａよりも幅が広く形成されている。
【００１５】
レンズ部材としての第１レンズアレイプレート１０４ａおよび第２レンズアレイプレート１０４ｂは、長手方向にレンズとしての複数のマイクロレンズが列状に配置された板状のものである。第１レンズアレイプレート１０４ａおよび第２レンズアレイプレート１０４ｂは、各マイクロレンズの光軸が合うように配置され、その組み合わせにより半導体発光素子１０７の像を、例えば図１１に示すプリンタ５０１の感光ドラム５０８の潜像面において正立等倍像を形成するものである。
【００１６】
遮光部材としての隔壁遮光プレート１０５は、第１レンズアレイプレート１０４ａを挟んでレンズカバープレート１０３の反対側に設けられたものである。また、隔壁遮光プレート１０５は、第１レンズアレイプレート１０４ａと第２レンズアレイプレート１０４ｂとの間に配置され、各マイクロレンズの光軸に合わせて絞りとしての開口部が形成された板状のものである。この隔壁遮光プレート１０５は、第２レンズアレイプレート１０４ｂから第１レンズアレイプレート１０４ａの方向へ出射された光線における迷光成分を遮光し、かつ第１レンズアレイプレート１０４ａと第２レンズアレイプレート１０４ｂとの間の間隔を確保するものである。
【００１７】
入射遮光プレート１０６は、半導体発光素子１０７から第２レンズアレイプレート１０４ｂへ入射される迷光成分を遮光するものである。
【００１８】
レンズカバープレート１０３、第１レンズアレイプレート１０４ａ、隔壁遮光プレート１０５、第２レンズアレイプレート１０４ｂ、および入射遮光プレート１０６の各部材間は、図３に示す固定部材としてのクランプ部材１１４により挟持されて相互に固定されている。
【００１９】
図１（ｂ）に示すプリントヘッド１０１の長手方向の中央部を含む複数の個所において、図３に示すように、レンズユニット１０２のレンズカバープレート１０３、第１レンズアレイプレート１０４ａ、隔壁遮光プレート１０５、第２レンズアレイプレート１０４ｂ、および入射遮光プレート１０６の各部材は、積層方向およびレンズユニット１０２の長手方向と直交する方向（レンズユニット１０２の短手方向）における両端部をクランプ部１１４ａにおいてクランプ部材１１４で積層方向に挟持されて相互に固定されている。
【００２０】
ここで、クランプ部材１１４は、レンズユニット１０２の長手方向において複数配設され、積層されたレンズユニット１０２の各部材を短手方向の両端部で挟む挟持部材である。
【００２１】
レンズユニット１０２は、保持部材としてのレンズホルダ１０９の２つの対向する面部１０９ｂ間の開口としての上面開口部１０９ａに挿入され、レンズカバープレート１０３と面部１０９ｂとの間が封止材１１３で封止され、レンズホルダ１０９に対して固着され、支持される。
レンズユニット１０２は、プリント配線基板１０８上に列状に配列された半導体発光素子１０７の表面と、第２レンズアレイプレート１０４ｂの下面極値点との距離Ｌｏが設計された光学距離となるように調整され、固着される。
【００２２】
このとき、レンズユニット１０２の部材積層界面は、レンズカバープレート１０３と第１レンズアレイプレート１０４ａの界面のみがレンズホルダ１０９の上面開口部１０９ａより外側（図２中の上側）に位置するように構成される。
レンズユニット１０２は、図３に示すように、レンズホルダ１０９と、レンズユニット１０２のクランプ部材１１４との間に、接着剤１１５を充填することによりレンズホルダ１０９に固着される。
【００２３】
また、レンズユニット１０２は、図２に示すように、レンズカバープレート１０３の外郭が、レンズユニット１０２のクランプ部１１４ａを除く外郭全域において、レンズユニット１０２の第１レンズアレイプレート１０４ａ、隔壁遮光プレート１０５、第２レンズアレイプレート１０４ｂ、および入射遮光プレート１０６の外郭よりもレンズユニット１０２の短手方向で幅ｄ１大きく形成されている。同様に、レンズユニット１０２の長手方向においても、レンズカバープレート１０３の外郭が、レンズユニット１０２の第１レンズアレイプレート１０４ａ、隔壁遮光プレート１０５、第２レンズアレイプレート１０４ｂ、および入射遮光プレート１０６の外郭よりも幅ｄ１大きく形成されている。すなわち、レンズカバープレート１０３は、第１レンズアレイプレート１０４ａに対して幅ｄ１だけ迫り出すように形成されている。なお、幅ｄ１は、例えば０．３ｍｍとすることができる。
【００２４】
ここで、レンズユニット１０２をレンズホルダ１０９に固着した際、レンズユニット１０２とレンズホルダ１０９との間には、隙間（以下、「クリアランス」という。）が生じる。このクリアランスから半導体発光素子１０７の光量が漏れ出ることを防ぐ目的と、該クリアランスからレンズホルダ１０９の内部にトナーなどの異物が侵入することを防ぐ目的のため、該クリアランスに封止材１１３を充填させて封止する。
【００２５】
また、封止材１１３は、レンズユニット１０２とレンズホルダ１０９との間のクリアランスを封止するだけでなく、図２に示すように、レンズカバープレート１０３と第１レンズアレイプレート１０４ａと間の界面も併せて封止する。
【００２６】
この封止材１１３は、レンズカバープレート１０３における第１レンズアレイプレート１０４ａに対する迫り出し部の幅ｄ１に収まるように充填されていることが望ましい。これは、封止材１１３がレンズカバープレート１０３の上面に迫り出すことによる出射光の妨げを防止するためである。
【００２７】
なお、図３に示すクランプ部１１４ａにおいては、クランプ部材１１４によりレンズカバープレート１０３と第１レンズアレイプレート１０４ａとの間の界面は被覆されているため、その界面からの異物の侵入を抑制することができる。
【００２８】
そのため、少なくともクランプ部材１１４によりレンズカバープレート１０３と第１レンズアレイプレート１０４ａとの間の界面が被覆されていない部分において封止材１１３により封止される必要があるが、図３に示すクランプ部１１４ａでは、接着剤１１５の内部を伝搬する半導体発光素子１０７から放射される光量のみが遮蔽されるのに十分な被膜が成されていれば良い。
【００２９】
図２に示すように、半導体発光素子１０７を実装したプリント配線基板１０８は、その表面をレンズホルダ１０９に予め設けられた基板当接部１１０と当接させることでレンズユニット１０２の光軸１０７ａ方向（図２および図３に示す上下方向）の位置決めがされる。
【００３０】
プリント配線基板１０８は、ベースクランプ部材１１１をレンズホルダ１０９の側面に設けられたクランプ孔１１２に係合させることにより、そのベースクランプ部材１１１によりレンズホルダ１０９側に設けた基板当接部１１０側へ付勢されて固定される。
【００３１】
このように、本実施例のレンズユニット１０２は、レンズカバープレート１０３、第１レンズアレイプレート１０４ａ、隔壁遮光プレート１０５、第２レンズアレイプレート１０４ｂ、および入射遮光プレート１０６の板状の各部材が積層されて構成されている。なお、本実施例では、第１レンズアレイプレート１０４ａと第２レンズアレイプレート１０４ｂとの間に、１枚の隔壁遮光プレート１０５を配置するようにしているが、２枚以上の遮光部材等の板状部材を配置するようにしても良い。
【００３２】
次に、レンズユニット１０２の積層構成を図４から図１０を用いて説明する。
【００３３】
図４は第１の実施例におけるレンズユニットの斜視図、図５は第１の実施例におけるレンズユニットの積層構造の説明図、図６は第１の実施例におけるレンズユニットの積層構造の分解図である。図５はレンズユニット１０２の各構成部材を積層する前の状態を示している。また、図７は、図６における領域４４の拡大図である。
【００３４】
図４、図５および図６において、レンズユニット１０２は、構成部材として図中上から順に、レンズカバープレート１０３、第１レンズアレイプレート１０４ａ、隔壁遮光プレート１０５、第２レンズアレイプレート１０４ｂ、および入射遮光プレート１０６を積層している。
【００３５】
第１レンズアレイプレート１０４ａと第２レンズアレイプレート１０４ｂとは、同一型により射出成型されたものであり、隔壁遮光プレート１０５の長手方向を回転軸として回転対称となるように相互に配置され、図７に示すようにレンズピッチＰの半周期（Ｐ／２）だけ長手方向にずらすことにより各レンズの光軸を合わせるようにしている。なお、第１レンズアレイプレート１０４ａおよび第２レンズアレイプレート１０４ｂには、長手方向に複数のマイクロレンズが２列で千鳥状に配列されている。また、長手方向において同列のマイクロレンズの光軸（例えば、光軸１０２ｂと光軸１０２ｃ）の間隔はレンズピッチＰとして配列されている。
【００３６】
このように第１レンズアレイプレート１０４ａと第２レンズアレイプレート１０４ｂとを積層する理由は、射出成型により第１レンズアレイプレート１０４ａと第２レンズアレイプレート１０４ｂを作製する際、型の成型精度および樹脂流動の方向を合わせることにより、第１レンズアレイプレート１０４ａと第２レンズアレイプレート１０４ｂのレンズ光軸のずれを極力抑制することができるためである。これは、射出成型時における樹脂の流動性に影響を受けて、ゲート手前からゲート奥に向かってレンズピッチがわずかに異なることがあるためである。
【００３７】
このような第１レンズアレイプレート１０４ａと第２レンズアレイプレート１０４ｂの積層構造により、図７に示すレンズユニット１０２の積層構造においては、レンズカバープレート１０３、第１レンズアレイプレート１０４ａ、および隔壁遮光プレート１０５と、第２レンズアレイプレート１０４ｂ、および入射遮光プレート１０６とがレンズピッチＰの半周期（Ｐ／２）だけ長手方向にずらして積層されている。
【００３８】
次に、レンズユニット１０２を構成する各部材の係合構成およびクランプ構成を説明する。
【００３９】
なお、レンズユニット１０２を構成する各部材の係合およびクランプ箇所は、図４に示すレンズユニット１０２の長手方向において少なくとも中央部を含んだ複数の個所であって、レンズユニット１０２の短手方向における両側になる。
【００４０】
まず、レンズユニット１０２の長手方向における中央部以外の各部材の係合構成を図８に基づいて説明する。図８は第１の実施例におけるレンズユニットの中央部以外の係合構成の説明図であり、図８（ａ）は図６の領域４５の拡大図であり、図８（ｂ）は図５における領域４２の拡大図である。
【００４１】
図８において、レンズカバープレート１０３、第１レンズアレイプレート１０４ａ、隔壁遮光プレート１０５、第２レンズアレイプレート１０４ｂ、および入射遮光プレート１０６には、それぞれの外縁部に、隣接する部材と係合するための凸部１２３、凹部１２４ａ、凸部１２５ａ、凹部１２６ａ、凹部１２６ｂ、凸部１２５ｂ、凹部１２４ｂ、凸部１２７が形成されている。
【００４２】
すなわち、レンズカバープレート１０３に凸部１２３、第１レンズアレイプレート１０４ａに凹部１２４ａおよび凸部１２５ａ、隔壁遮光プレート１０５に凹部１２６ａおよび凹部１２６ｂ、第２レンズアレイプレート１０４ｂに凸部１２５ｂおよび凹部１２４ｂ、入射遮光プレート１０６に凸部１２７が形成されている。
【００４３】
なお、第１レンズアレイプレート１０４ａと第２レンズアレイプレート１０４ｂは、隔壁遮光プレート１０５を中心として回転対照に配置され、レンズユニット１０２の長手方向にレンズピッチＰの半周期（Ｐ／２）だけずらして配置されているため、第１レンズアレイプレート１０４ａの凸部１２５ａに対応する隔壁遮光プレート１０５の外縁部に設けられた凹部１２６ａと、第２レンズアレイプレート１０４ｂの凸部１２５ｂに対応する隔壁遮光プレート１０５の外縁部に設けられた凹部１２６ｂとは、レンズユニット１０２の長手方向にレンズピッチＰの半周期（Ｐ／２）だけずらして形成されている。
【００４４】
このように形成された凸部１２３、凹部１２４ａ、凸部１２５ａ、凹部１２６ａ、凹部１２６ｂ、凸部１２５ｂ、凹部１２４ｂ、および凸部１２７を各レンズの光軸方向（各部材の積層方向）およびレンズユニット１０２の短手方向に係合させることにより、各部材のレンズユニット１０２の光軸方向および短手方向における位置が決められる。
【００４５】
なお、レンズユニット１０２の光軸方向および短手方向の最大公差が１０μｍ程度となるように凸部１２３、凹部１２４ａ、凸部１２５ａ、凹部１２６ａ、凹部１２６ｂ、凸部１２５ｂ、凹部１２４ｂ、および凸部１２７を形成するものとする。
【００４６】
また、レンズカバープレート１０３と第１レンズアレイプレート１０４ａとの光軸（積層）方向は、係合部としての凸部１２３と凹部１２４ａとが直接当接するようにしても良いが、レンズカバープレート１０３と第１レンズアレイプレート１０４ａの外縁部が直接当接することで位置決めされることが好ましい。
【００４７】
その理由は、図２に示すように、レンズホルダ１０９の表面に露出するレンズカバープレート１０３と第１レンズアレイプレート１０４ａの接触界面を極力塞ぐことができるようにするためである。
【００４８】
本実施例では、図８（ｂ）に示すように、係合部としての凸部１２３と凹部１２４ａとが直接当接しないようにして、レンズカバープレート１０３と第１レンズアレイプレート１０４ａとの間でクリアランスｃ４を確保するように構成する。
【００４９】
一方、その他の部材である第１レンズアレイプレート１０４ａ、隔壁遮光プレート１０５、第２レンズアレイプレート１０４ｂ、および入射遮光プレート１０６の光軸（積層）方向は、係合部としての凸部１２５ａと凹部１２６ａ、凹部１２６ｂと凸部１２５ｂ、凹部１２４ｂと凸部１２７が直接当接することで位置決めされる。したがって、第１レンズアレイプレート１０４ａ、隔壁遮光プレート１０５、第２レンズアレイプレート１０４ｂ、および入射遮光プレート１０６の各部材の外縁部は直接当接せず、各部材間の積層方向にクリアランスｃ５が確保された積層構成となっている。
【００５０】
また、レンズユニット１０２の長手方向において、凸部１２３の両端部と凹部１２６ａの両端部との間にクリアランスｃ１、凸部１２５ａの両端部と凹部１２４ａの両端部との間にクリアランスｃ２、凹部１２６ｂの両端部と凸部１２５ｂの両端部との間にクリアランスｃ２、凹部１２４ｂの両端部と凸部１２７の両端部との間にクリアランスｃ３が確保されている。
【００５１】
これは、周囲の温度変動または湿度変動によりレンズユニット１０２を構成する各部材であるレンズカバープレート１０３、第１レンズアレイプレート１０４ａ、隔壁遮光プレート１０５、第２レンズアレイプレート１０４ｂ、および入射遮光プレート１０６の伸縮差が生じた場合であっても、各部材はレンズユニット１０２の長手方向に対して自由に摺動することができるようにするためである。
【００５２】
このように係合部を構成することにより、レンズユニット１０２の光軸方向の曲がりを抑制することができる。
【００５３】
上述したクリアランスｃ１、ｃ２、ｃ３は、少なくともレンズユニット１０２を構成する各部材であるレンズカバープレート１０３、第１レンズアレイプレート１０４ａ、隔壁遮光プレート１０５、第２レンズアレイプレート１０４ｂ、および入射遮光プレート１０６の温度および吸水による線膨張係数を鑑みて決定される。
【００５４】
次に、レンズユニット１０２の長手方向における中央部の各部材の係合構成を図９に基づいて説明する。図９は第１の実施例におけるレンズユニットの中央部の係合構成の説明図であり、図９（ａ）は図６の領域４６の拡大図であり、図９（ｂ）は図５における領域４３の拡大図である。
【００５５】
図９において、レンズカバープレート１０３、第１レンズアレイプレート１０４ａ、隔壁遮光プレート１０５、第２レンズアレイプレート１０４ｂ、および入射遮光プレート１０６には、それぞれの外縁部に、隣接する部材と係合するための凸部１１８、凹部１１９ａ、凸部１２０ａ、凹部１２１ａ、凹部１２１ｂ、凸部１２０ｂ、凹部１１９ｂ、凸部１２２が形成されている。
【００５６】
すなわち、レンズカバープレート１０３に凸部１１８、第１レンズアレイプレート１０４ａに凹部１１９ａおよび凸部１２０ａ、隔壁遮光プレート１０５に凹部１２１ａおよび凹部１２１ｂ、第２レンズアレイプレート１０４ｂに凸部１２０ｂおよび凹部１１９ｂ、入射遮光プレート１０６に凸部１２２が形成されている。
【００５７】
この凸部１１８と凹部１１９ａ、凸部１２０ａと凹部１２１ａ、凹部１２１ｂと凸部１２０ｂ、および凹部１１９ｂと凸部１２２がそれぞれ係合することにより、レンズカバープレート１０３、第１レンズアレイプレート１０４ａ、隔壁遮光プレート１０５、第２レンズアレイプレート１０４ｂ、および入射遮光プレート１０６の各部材のレンズユニット１０２の長手方向および短手方向の位置決めがされる。
【００５８】
本実施例では、図９（ｂ）に示すように、係合部としての凸部１１８と凹部１１９ａとが直接当接しないようにして、レンズカバープレート１０３と第１レンズアレイプレート１０４ａとの間でクリアランスｃ４を確保するように構成する。
【００５９】
一方、その他の部材である第１レンズアレイプレート１０４ａ、隔壁遮光プレート１０５、第２レンズアレイプレート１０４ｂ、および入射遮光プレート１０６の光軸（積層）方向は、係合部としての凸部１２５ａと凹部１２６ａ、凹部１２６ｂと凸部１２５ｂ、凹部１２４ｂと凸部１２７が直接当接することで位置決めされる。したがって、第１レンズアレイプレート１０４ａ、隔壁遮光プレート１０５、第２レンズアレイプレート１０４ｂ、および入射遮光プレート１０６の各部材の外縁部は直接当接せず、各部材間の積層方向にクリアランスｃ５が確保された積層構成となっている。
【００６０】
なお、凸部１１８と凹部１１９ａ、凸部１２０ａと凹部１２１ａ、凹部１２１ｂと凸部１２０ｂ、および凹部１１９ｂと凸部１２２は、隙間なく嵌合するため、レンズユニット１０２の長手方向において、図８（ｂ）で説明したクリアランスｃ１、ｃ２、ｃ３は確保されていない。
【００６１】
レンズユニット１０２の長手方向における中央部においては、その長手方向における最大公差が１０μｍ程度となるように、凸部１１８、凹部１１９ａ、凸部１２０ａ、凹部１２１ａ、凹部１２１ｂ、凸部１２０ｂ、凹部１１９ｂ、凸部１２２を形成するものとする。
【００６２】
このように、係合部としての凸部１１８、凹部１１９ａ、凸部１２０ａ、凹部１２１ａ、凹部１２１ｂ、凸部１２０ｂ、凹部１１９ｂ、および凸部１２２を形成することにより、レンズユニット１０２の長手方向における中央部において、レンズユニット１０２の長手方向における伸縮の支点を形成する。
【００６３】
次に、レンズユニット１０２の各部材のクランプ構成を図１０に基づいて説明する。図１０は第１の実施例におけるレンズユニットのクランプ構成の説明図であり、図４の領域４１の拡大図である。なお、レンズユニット１０２の各部材を挟むクランプ構成は、レンズユニット１０２の長手方向における中央部とそれ以外の部位で同一の構成としている。
【００６４】
図１０において、クランプ部材１１４の図中上側（各部材の積層方向の上側）をレンズカバープレート１０３に形成された凹部としての窪み１１６に係合させ、またクランプ部材１１４の図中下側（各部材の積層方向の下側）を入射遮光プレート１０６に形成された凹部としての窪み１１７に係合させてレンズカバープレート１０３、第１レンズアレイプレート１０４ａ、隔壁遮光プレート１０５、第２レンズアレイプレート１０４ｂ、および入射遮光プレート１０６の各部材をクランプ部材１１４で挟持して相互に固定する。
【００６５】
クランプ部材１１４は、レンズユニット１０２の長手方向の長さをＬ１として形成されている。
【００６６】
レンズユニット１０２の長手方向において、レンズカバープレート１０３に形成された窪み１１６の両側の内壁とクランプ部材１１４の両端部との間にはそれぞれクリアランスｃ６が確保され、また入射遮光プレート１０６に形成された窪み１１７の両側の内壁とクランプ部材１１４との間にはそれぞれクリアランスｃ７が確保されている。
【００６７】
なお、窪み１１６および窪み１１７は、レンズカバープレート１０３および入射遮光プレート１０６の短手方向（レンズユニット１０２の短手方向）における中央部に向かって窪みの深さが深くなるように傾斜した窪みとなっている。
【００６８】
また、クリアランスｃ６およびクリアランスｃ７のレンズユニット１０２の長手方向の幅は、レンズユニット１０２の図３に示すレンズホルダ１０９とクランプ部材１１４とを直接、接着剤１１５で固定する際、クランプ部材１１４内をレンズカバープレート１０３および入射遮光プレート１０６が自由に摺動できるように、クランプ部材１１４とレンズカバープレート１０３および入射遮光プレート１０６とが干渉しない幅を確保する。
【００６９】
そのため、クリアランスｃ６およびクリアランスｃ７は、少なくともレンズカバープレート１０３、入射遮光プレート１０６およびレンズホルダ１０９の温度および吸水による線膨張係数の関係を鑑みて決定するものとする。
したがって、レンズユニット１０２の長手方向において、窪み１１６の幅は、（Ｌ１＋２×ｃ６）となり、窪み１１７の幅は、（Ｌ１＋２×ｃ７）となる。
【００７０】
次に、図２に示すプリントヘッド１０１の部材材料について説明する。
【００７１】
上述したレンズカバープレート１０３は、アクリル樹脂を用いる。ただし、その他の部材と線膨張係数を合わせるため、ポリカーボネート等を用いることもできる。
【００７２】
第１レンズアレイプレート１０４ａおよび第２レンズアレイプレート１０４ｂは、シクロオレフィンポリマー樹脂（製品名：ＺＥＯＮＥＸ（登録商標）、日本ゼオン株式会社製）を用いる。また、アクリル樹脂、ポリカーボネートまたはエポキシ樹脂を用いることもできるが、本実施例のように長尺な構造体においては、寸法安定性の観点より、吸水率の小さなシクロオレフィンポリマー樹脂を用いることが望ましい。
【００７３】
隔壁遮光プレート１０５および入射遮光プレート１０６は、ポリカーボネートを用いる。また、ＡＢＳ（アクリロニトリル・ブタジエン・スチレン）樹脂を用いることができるが、レンズカバープレート１０３、第１レンズアレイプレート１０４ａおよび第２レンズアレイプレート１０４ｂとの線膨張係数を極力合わせることが望ましいため、ポリカーボネートを用いることが望ましい。
【００７４】
クランプ部材１１４は、バネ用ステンレス材料を用いる。
【００７５】
レンズホルダ１０９は、板金を用いる。ただし、ＬＣＰ（液晶ポリマー）樹脂、アルミダイキャストとすることもできる。
【００７６】
プリント配線基板１０８は、ガラスクロスエポキシ樹脂基板をコア材として、銅箔をパターニングしたものである。
【００７７】
半導体発光素子１０７は、ＧａＡｓ（ガリウムヒ素）を主材料とした発光ダイオード素子が、例えば６００ｄｐｉ（ｄｏｔｓ  ｐｅｒ  ｉｎｃｈ）または１２００ｄｐｉの略直線状に配列されたものであり、駆動回路を一体成型した素子とすることもできる。
【００７８】
ベースクランプ部材１１１は、ポリカーボネートを用いる。ただし、ナイロン等を用いることもできる。
【００７９】
接着剤１１５は、アクリル樹脂を主成分としたＵＶ（ＵｌｔｒａＶｉｏｌｅｔ）硬化性樹脂である。
【００８０】
封止材１１３は、シリコーン封止材である。
【００８１】
次に、本実施例のレンズユニットを備えたイメージセンサヘッドを説明する。
【００８２】
図１２は第１の実施例におけるイメージセンサヘッドの断面図である。
【００８３】
図１２に示すように、イメージセンサヘッド１４０は、図２に示すプリントヘッド１０１と同様に、レンズユニット１０２を備え、そのレンズユニット１０２を構成するレンズカバープレート１０３、第１レンズアレイプレート１０４ａ、隔壁遮光プレート１０５、第２レンズアレイプレート１０４ｂ、および入射遮光プレート１０６の各部材は、クランプ部１１４ａにおいてクランプ部材１１４で積層方向に挟持されて相互に固定されている。
【００８４】
また、プリント配線基板１０８には半導体受光素子１４９が実装されている。
【００８５】
半導体受光素子１４９は、Ｓｉ基板上に作製したＣＯＭＳセンサ、またはＣＣＤセンサが、例えば６００ｄｐｉ、１２００ｄｐｉまたは２４００ｄｐｉの略直線状に配列されたものである。
【００８６】
なお、図２に示すプリントヘッド１０１と同様な部分は、同一の符号を付してその説明を省略する。
【００８７】
上述した構成の作用について説明する。
【００８８】
図１に示すプリントヘッド１０１に用いる図２から図１０に示すレンズユニット１０２の作用を図１から図１０を参照しながら説明する。
【００８９】
レンズユニット１０２は、レンズカバープレート１０３、第１レンズアレイプレート１０４ａ、隔壁遮光プレート１０５、第２レンズアレイプレート１０４ｂ、および入射遮光プレート１０６等の樹脂板の各部材を積層した構成であるため、各部材の熱または吸水による線膨張係数が異なった場合、それぞれの線膨張係数に伴った各部材の伸縮が生じる。
【００９０】
本実施例のレンズユニット１０２は、図４に示すように、レンズカバープレート１０３、第１レンズアレイプレート１０４ａ、隔壁遮光プレート１０５、第２レンズアレイプレート１０４ｂ、および入射遮光プレート１０６の各部材を、クランプ部材１１４を用いて相互に挟持して固定している。
【００９１】
また、図８に示すように、レンズユニット１０２の長手方向における中央部以外の部位での係合部としての凸部１２３、凹部１２４ａ、凸部１２５ａ、凹部１２６ａ、凹部１２６ｂ、凸部１２５ｂ、凹部１２４ｂ、および凸部１２７には、レンズユニット１０２の長手方向にレンズカバープレート１０３、第１レンズアレイプレート１０４ａ、隔壁遮光プレート１０５、第２レンズアレイプレート１０４ｂ、および入射遮光プレート１０６の各部材を相互に自由に摺動できるようにするためのクリアランスｃ１、ｃ２、およびｃ３が確保されている。
【００９２】
そのため、レンズユニット１０２の長手方向における中央部以外は、レンズカバープレート１０３、第１レンズアレイプレート１０４ａ、隔壁遮光プレート１０５、第２レンズアレイプレート１０４ｂ、および入射遮光プレート１０６の各部材がレンズユニット１０２の光軸１０７ａ方向（図２参照）および短手方向のみ規制を受けた状態で、長手方向に自由に摺動することできる。
【００９３】
また、図９に示すように、レンズユニット１０２の長手方向における中央部は、係合部としての凸部１１８、凹部１１９ａ、凸部１２０ａ、凹部１２１ａ、凹部１２１ｂ、凸部１２０ｂ、凹部１１９ｂ、および凸部１２２でレンズカバープレート１０３、第１レンズアレイプレート１０４ａ、隔壁遮光プレート１０５、第２レンズアレイプレート１０４ｂ、および入射遮光プレート１０６の各部材を係合することにより、各部材がレンズユニット１０２の光軸１０７ａ方向（図２参照）および短手方向に規制されることに加え、レンズユニット１０２の長手方向にも規制され、レンズユニット１０２の長手方向における中央部において、レンズユニット１０２の長手方向における摺動（伸縮）の支点を形成することができる。
【００９４】
また、レンズユニット１０２のレンズカバープレート１０３、第１レンズアレイプレート１０４ａ、隔壁遮光プレート１０５、第２レンズアレイプレート１０４ｂ、および入射遮光プレート１０６の各部材をレンズユニット１０２の長手方向における複数の部位で係合させたことにより、レンズユニット１０２は、周囲温度および湿度環境の変化によるレンズ光軸方向の変動を抑制することができる。
【００９５】
さらに、レンズユニット１０２をプリントヘッド１０１のレンズホルダ１０９に固着する際、クランプ部材１１４とレンズホルダ１０９を直接接着するようにしているため、クランプ部材１１４で挟持されたレンズカバープレート１０３、第１レンズアレイプレート１０４ａ、隔壁遮光プレート１０５、第２レンズアレイプレート１０４ｂ、および入射遮光プレート１０６の各部材は、クランプ部材１１４内を自由にレンズユニット１０２の長手方向に摺動することができる。
【００９６】
そのため、クランプ部材１１４をレンズホルダ１０９に固着した状態であっても、周囲温度および湿度環境の変化により生じるレンズユニット１０２のレンズ光軸方向の反りを抑制することができるとともに、レンズユニット１０２とレンズホルダ１０９の破断を防ぐことができる。
【００９７】
また、本実施例のレンズユニット１０２を搭載したプリントヘッド１０１では、レンズカバープレート１０３の外郭が第１レンズアレイプレート１０４ａの外郭よりも幅ｄ１広く形成されているため、レンズユニット１０２とレンズホルダ１０９との間に形成されるクリアランスを封止する作業において、レンズホルダ１０９の上面から露出する部材であるレンズカバープレート１０３と第１レンズアレイプレート１０４ａとの接合界面を確実に封止することができる。また、レンズカバープレート１０３の迫り出し部として幅ｄ１が確保されるため、レンズカバープレート１０３の表面へ封止材１１３が染み出すことを抑制することができる。
【００９８】
さらに、第１レンズアレイプレート１０４ａの長手方向と直交する短手方向において、第１レンズアレイプレート１０４ａよりも幅が広いレンズカバープレート１０３を配置しているため、レンズユニット１０２への埃等の異物の侵入を防止することができるため、レンズユニット１０２の生産性を安定させることができる。
【００９９】
ここで、図１に示すプリントヘッド１０１を画像形成装置としてのプリンタに適用した例を説明する。
【０１００】
図１１は第１の実施例におけるプリンタの構成を示す概略側断面図である。
【０１０１】
図１１において、画像形成装置としてのプリンタ５０１は、図１に示すプリントヘッド１０１を搭載したＬＥＤプリンタである。
【０１０２】
プリンタ５０１は、イエロー（Ｙ）、マゼンタ（Ｍ）、シアン（Ｃ）、およびブラック（Ｋ）の各色の画像を、電子写真方式を用いて形成する４つのプロセスユニット５０２、５０３、５０４、５０５を有している。
【０１０３】
プロセスユニット５０２、５０３、５０４、５０５は、記録媒体５０６の搬送経路５０７に沿ってプロセスユニット５０２（Ｙ）、プロセスユニット５０３（Ｍ）、プロセスユニット５０４（Ｃ）、プロセスユニット５０５（Ｋ）の順に配置されている。
【０１０４】
各プロセスユニット５０２、５０３、５０４、５０５は、像担持体としての感光体ドラム５０８と、感光体ドラム５０８の周囲に配置され、感光体ドラム５０８の表面を帯電させる帯電装置５０９と、帯電された感光体ドラム５０８の表面に選択的に光を照射して静電潜像を形成する露光装置５１０とを有している。この露光装置５１０は、図１に示すプリントヘッド１０１を光源として用いている。
【０１０５】
また、各プロセスユニット５０２、５０３、５０４、５０５は、静電潜像が形成された感光体ドラム５０８の表面に現像剤としてのトナーを搬送してトナー像を形成する現像装置５１１と、感光体ドラム５０８の表面に残留したトナーを除去するクリーニング装置５１２とを有している。
【０１０６】
なお、感光体ドラム５０８は、モータ等の駆動源およびギヤ等の駆動機構により図中矢印が示す方向に回転する。
【０１０７】
また、プリンタ５０１は、紙等の記録媒体５０６を収容する用紙カセット５１３と、用紙カセット５１３に収容された記録媒体５０６を１枚ずつ分離して搬送するホッピングローラ５１４とを有している。
【０１０８】
ホッピングローラ５１４の記録媒体５０６搬送方向における下流には、ピンチローラ５１５、５１６と、記録媒体５０６を挟み付け、ピンチローラ５１５、５１６とともに記録媒体５０６の斜行を矯正してプロセスユニット５０２、５０３、５０４、５０５に搬送するレジストローラ５１７、５１８とが配置されている。なお、ホッピングローラ５１４およびレジストローラ５１７、５１８は、モータ等の駆動源に接続され、連動して回転する。
【０１０９】
プリンタ５０１は、感光体ドラム５０８に対向配置された転写ローラ５１９を有している。転写ローラ５１９は、半導電性のゴム等により構成され、感光体ドラム５０８上のトナー像を記録媒体５０６上に転写させるように、感光体ドラム５０８の電位と、転写ローラ５１９の電位とが設定される。
【０１１０】
また、プリンタ５０１は、記録媒体５０６に転写されたトナー像を熱と圧力で定着させる定着装置５２４と、トナー像が定着された記録媒体５０６を装置外のスタッカ５２５へ排出する排出ローラ５２０、５２１、５２２、５２３とを有している。
【０１１１】
用紙カセット５１３に積載された記録媒体５０６は、ホッピングローラ５１４により１枚ずつ分離されて搬送される。記録媒体５０６は、レジストローラ５１７、５１８およびピンチローラ５１５、５１６を通過してプロセスユニット５０２、５０３、５０４、５０５の順に通過する。各プロセスユニット５０２、５０３、５０４、５０５において、記録媒体５０６は感光体ドラム５０８と転写ローラ５１９との間を通過して各色のトナー像が順に転写され、定着装置５２４によって加熱および加圧されて各色のトナー像が記録媒体５０６に定着される。その後、記録媒体５０６は、排出ローラ５２０、５２１、５２２、５２３によってスタッカ５２５に排出される。
【０１１２】
次に、図１２に示すイメージセンサヘッド１４０を画像読取装置としてのイメージスキャナに適用した例を説明する。
【０１１３】
図１３は第１の実施例におけるイメージスキャナの構成を示す斜視図である。
【０１１４】
図１３において、イメージスキャナ４０１は、筐体４０２と、筐体４０２の上面に設けられ、読み取る原稿を載置する原稿台４０９と、原稿を原稿台４０９との間で挟むための蓋４１０とを有している。
【０１１５】
筐体４０２の内部には、図１２に示すイメージセンサヘッド１４０を有するコンタクトイメージセンサヘッド４０３が配設されている。コンタクトイメージセンサヘッド４０３は、筐体４０２に固定された２本のガイド４０４に支持されて取り付けられている。
【０１１６】
このコンタクトイメージセンサヘッド４０３をガイド４０４に沿って副走査方向に摺動させるため、コンタクトイメージセンサヘッド４０３はステッピングモータ４０５に連結された駆動ベルト４０６に連結されている。
【０１１７】
また、コンタクトイメージセンサヘッド４０３には、コンタクトイメージセンサヘッド４０３を制御する制御回路４０８がフレキシブルフラットケーブル４０７を介して接続されている。
【０１１８】
以上説明したように、第１の実施例では、第１レンズアレイプレートの短手方向において、第１レンズアレイプレートよりも幅が広いレンズカバープレートを配置するようにしたことにより、レンズユニットへの埃等の異物の侵入を防止することができるため、レンズユニットの生産性を安定させることができるという効果が得られる。
【０１１９】
また、レンズカバープレートの外郭が第１レンズアレイプレートの外郭よりも広く形成されているため、レンズユニットとレンズホルダとの間に形成されるクリアランスを封止する作業において、レンズホルダの上面から露出する部材の接合界面を確実に封止することができるという効果が得られる。
【０１２０】
さらに、レンズカバープレートの迫り出し部を形成したことにより、レンズユニットの表面へ封止材が染み出すことを抑制することができるという効果が得られる。
【実施例２】
【０１２１】
図１４は第２の実施例におけるプリントヘッドの説明図であり、図１４（ａ）はプリントヘッド２０１の平面図、図１４（ｂ）は図１４（ａ）におけるＸ−Ｘ矢視断面図、図１４（ｃ）は図１４（ｂ）における領域４７の拡大図である。
【０１２２】
図１５は第２の実施例におけるレンズユニットの斜視図であり、図１５（ａ）はレンズユニット２０２全体の斜視図、図１５（ｂ）は図１５（ａ）における領域４８の拡大図である。
【０１２３】
なお、上述した第１の実施例と同様の部分は、同一の符号を付してその説明を省略する。
【０１２４】
図１４および図１５において、プリントヘッド２０１のレンズユニット２０２は、第１の実施例の図２に示すレンズユニット１０２と同様に、半導体発光素子１０７の光軸１０７ａ方向における半導体発光素子１０７の反対側（図中上側）から順に、レンズカバープレート２０３、第１レンズアレイプレート２０４ａ、隔壁遮光プレート２０５、第２レンズアレイプレート２０４ｂ、および入射遮光プレート２０６の各部材が積層され、構成されている。
【０１２５】
なお、レンズカバープレート２０３、第１レンズアレイプレート２０４ａ、隔壁遮光プレート２０５、第２レンズアレイプレート２０４ｂ、および入射遮光プレート２０６は、図２に示す第１の実施例のレンズカバープレート１０３、第１レンズアレイプレート１０４ａ、隔壁遮光プレート１０５、第２レンズアレイプレート１０４ｂ、および入射遮光プレート１０６に相当する。また、以下に説明するクランプ部材２１４は図３に示す第１の実施例のクランプ部材１１４、レンズホルダ２０９および封止材２１３は図２に示す第１の実施例のレンズホルダ１０９および封止材１１３に相当する。
【０１２６】
図１５に示すように、レンズユニット２０２は、長手方向において少なくとも中央部を含んだ複数の個所であって、レンズユニット２０２の短手方向における両側にクランプ部材２１４を取り付けた構成となっている。
【０１２７】
また、レンズカバープレート２０３の外郭は、第１の実施例と同様に、第１レンズアレイプレート２０４ａの外郭よりも幅ｄ１広く形成されている。
【０１２８】
本実施例のレンズユニット２０２では、クランプ部材２１４が取り付けられている個所以外において隔壁遮光プレート２０５の外郭が第１レンズアレイプレート２０４ａの外郭よりも幅ｄ２広く形成されている。なお、幅ｄ２は、図１４に示すレンズホルダ２０９の対向する面部２０９ｂの間の開口部２０９ａにレンズユニット２０２を長手方向に挿入する際、隔壁遮光プレート２０５の短手方向の外郭が面部２０９ｂと干渉しない幅に設定されている。
【０１２９】
図１４に示すように、例えばレンズユニット２０２の第１レンズアレイプレート２０４ａとレンズホルダ２０９の開口部２０９ａとの間に形成されるクリアランスｃ２１を０．２ｍｍとし、幅ｄ１を０．３ｍｍ、幅ｄ２を０．１ｍｍとすることができる。
【０１３０】
プリントヘッド２０１に用いられるレンズユニット２０２は、第１の実施例と同様に、レンズホルダ２０９に固着される。本実施例も第１の実施例と同様に、レンズユニット２０２の第１レンズアレイプレート２０４ａとレンズホルダ２０９との間に封止材２１３を充填することにより、レンズユニット２０２とレンズホルダ２０９との間に形成されるクリアランスを封止すると同時に、レンズカバープレート２０３と第１レンズアレイプレート２０４ａとの積層界面を封止している。
【０１３１】
さらに、封止材２１３は、第１レンズアレイプレート２０４ａと隔壁遮光プレート２０５との外郭差により形成される幅ｄ２の迫り出し部２０５ａで堰き止められ、迫り出し部２０５ａよりも下方への染み出しが抑制される。
【０１３２】
このように、本実施例では、隔壁遮光プレート２０５は、第１レンズアレイプレート２０４ａの長手方向と直交する短手方向において、第１レンズアレイプレート２０４ａよりも幅が広く形成され、それぞれの面部２０９ｂが第１レンズアレイプレート２０４ａと隔壁遮光プレート２０５との間に配置され、その面部２０９ｂと第１レンズアレイプレート２０４ａおよび隔壁遮光プレート２０５との間が封止材２１３で封止されている。
【０１３３】
なお、本実施例によるレンズユニット２０２およびプリントヘッド２０１は、第１の実施例で説明したレンズユニットおよびプリントヘッドと同様の部材料で構成することができる。
【０１３４】
上述した構成の作用について説明する。
【０１３５】
図１４に示すプリントヘッド２０１に用いるレンズユニット２０２の作用を図１４および図１５を参照しながら説明する。
【０１３６】
本実施例のレンズユニット２０２は、第１レンズアレイプレート２０４ａと隔壁遮光プレート２０５との外郭差により形成された幅ｄ２の迫り出し部２０５ａにより、第１レンズアレイプレート２０４ａとレンズホルダ２０９との間に充填された封止材２１３が迫り出し部２０５ａよりも下方へ垂れ込むことを防ぎ、効率良くレンズユニット２０２とレンズホルダ２０９との間に形成されるクリアランスを封止するとともに、レンズカバープレート２０３と第１レンズアレイプレート２０４ａとの積層界面を封止する。
【０１３７】
なお、本実施例でも第１の実施例と同様に、プリントヘッド２０１を画像形成装置に適用することができ、またレンズユニット２０２を用いてイメージセンサヘッドを構成することができ、さらにイメージセンサヘッドを画像読取装置に適用することができる。
【０１３８】
以上説明したように、第２の実施例では、第１の実施例の効果に加え、第１レンズアレイプレートと隔壁遮光プレートとの外郭差により迫り出し部を形成するようにしたことにより、封止材が迫り出し部よりも下方へ染み出すことを抑制することができるという効果が得られる。
【実施例３】
【０１３９】
図１６は第３の実施例におけるプリントヘッドの説明図である。図１６（ａ）はプリントヘッドの斜視図、図１６（ｂ）はプリントヘッドの平面図、図１６（ｃ）はプリントヘッドの長手方向の中央部（図１６（ａ）に示す領域５０）におけるレンズユニットとホルダの固着部の拡大図である。
【０１４０】
図１７は第３の実施例におけるプリントヘッドの断面図であり、図１６におけるＸ−Ｘ矢視断面図である。
【０１４１】
図１８は第３の実施例におけるレンズユニットの斜視図である。
【０１４２】
本実施例のプリントヘッド３０１およびレンズユニット３０２を図１６、図１７および図１８を用いて説明する。
【０１４３】
図１６および図１７に示すプリントヘッド３０１では、レンズユニット３０２とレンズホルダ３０９との固着構造をわかりやすく説明するため、レンズユニット３０２とレンズホルダ３０９との間のシリコーン封止材を省略した構造を示しているが、レンズユニット３０２とレンズホルダ３０９との間に生じる空隙部からプリントヘッド３０１の内部への異物進入を防ぐため、シリコーン封止材をレンズユニット３０２とレンズホルダ３０９との間に配設するようにしても良い。
【０１４４】
図１６に示すように、プリントヘッド３０１は、レンズユニット３０２がレンズホルダ３０９に対して接着剤３１３を用いて固着（保持）されて構成されている。
【０１４５】
図１７に示すように、レンズユニット３０２は、レンズカバープレート３０３、第１レンズアレイプレート３０４ａ、隔壁遮光プレート３０５、第２レンズアレイプレート３０４ｂ、および入射遮光プレート３０６を有している。
【０１４６】
なお、レンズカバープレート３０３、第１レンズアレイプレート３０４ａ、隔壁遮光プレート３０５、第２レンズアレイプレート３０４ｂ、および入射遮光プレート３０６は、図２に示す第１の実施例のレンズカバープレート１０３、第１レンズアレイプレート１０４ａ、隔壁遮光プレート１０５、第２レンズアレイプレート１０４ｂ、および入射遮光プレート１０６に相当する。
【０１４７】
レンズユニット３０２は、図１８に示すように、レンズカバープレート３０３、第１レンズアレイプレート３０４ａ、隔壁遮光プレート３０５、第２レンズアレイプレート３０４ｂ、および入射遮光プレート３０６の各部材を積層し、複数のクランプ部材３１４で挟持され、保持固定されている。また、レンズユニット３０２は、長手方向における略中央部で積層された各部材が、相互に固着するための接着剤３１６で固着されている。
【０１４８】
本実施例の固定部材としてのクランプ部材３１４は、第１レンズアレイプレート３０４ａをレンズカバープレート３０３に固定する。
【０１４９】
このようにユニット化されたレンズユニット３０２は、図１６および図１７に示すように、レンズホルダ３０９に対して接着剤３１３により固着されている。
【０１５０】
なお、図１６（ａ）に示すように、プリントヘッド３０１の長手方向における両端部の丸孔３０８ａおよび長孔３０８ｂは、プリンタ側に設けられた突起部と嵌合してプリントヘッド３０１の位置決めを行うための孔である。
【０１５１】
また、プリントヘッド３０１の長手方向における両端部近傍には当接部が設けられている。このプリントヘッド３０１の当接部は、プリンタ側に形成された当接部と当接することにより、図１７に示すレンズ光軸１０７ａ方向における感光ドラムの潜像面５０８ａと、第１レンズアレイプレート３０４ａの上面極値点との距離Ｌｉが設計された光学距離となるように位置決めされる。
【０１５２】
なお、プリントヘッド３０１の当接部に、偏心カム機構を設けることにより、距離Ｌｉが光学設計距離となるように調整することができる機構を設けることもできる。
【０１５３】
レンズユニット３０２は、図１７に示すように、レンズホルダ３０９に対して、レンズホルダ３０９上面におけるスリット部３０９ａにおいて、クランプ部材３１４を介して接着剤３１３を接着させて固着される。
【０１５４】
レンズユニット３０２のレンズホルダ３０９に対する固着高さは、図１７に示すように、プリント配線基板１０８上の長手方向に列状に配列された半導体発光素子１０７の表面と、レンズユニット３０２における第２レンズアレイプレート３０４ｂの下面極値点との距離Ｌｏが設計された光学距離となるように調整される。
【０１５５】
ここで、レンズユニット３０２を説明する。
【０１５６】
レンズユニット３０２は、感光ドラムの潜像面５０８ａ側から積層されるレンズカバープレート３０３と、第１レンズアレイプレート３０４ａと、隔壁遮光プレート３０５と、第２レンズアレイプレート３０４ｂと、入射遮光プレート３０６とを有している。
【０１５７】
保護部材としてのレンズカバープレート３０３は、第１レンズアレイプレート３０４ａと積層して配置され、第１レンズアレイプレート３０４ａを覆うものであり、レンズユニット３０２を保護するものである。レンズカバープレート３０３は、第１レンズアレイプレート３０４ａの長手方向と直交する短手方向において、第１レンズアレイプレート３０４ａよりも幅が広く形成されている。
【０１５８】
レンズ部材としての第１レンズアレイプレート３０４ａおよび第２レンズアレイプレート３０４ｂは、長手方向にレンズとしての複数のマイクロレンズが列状に配置された板状のものである。第１レンズアレイプレート３０４ａおよび第２レンズアレイプレート３０４ｂは、各マイクロレンズの光軸が合うように配置され、その組み合わせにより半導体発光素子１０７の像を、感光ドラムの潜像面５０８ａにおいて正立等倍像を形成するものである。
【０１５９】
遮光部材としての隔壁遮光プレート３０５は、第１レンズアレイプレート３０４ａを挟んでレンズカバープレート３０３の反対側に設けられたものである。また、隔壁遮光プレート３０５は、第１レンズアレイプレート３０４ａと第２レンズアレイプレート３０４ｂとの間に配置され、各マイクロレンズの光軸に合わせて絞りとしての開口部が形成された板状のものである。この隔壁遮光プレート３０５は、第２レンズアレイプレート３０４ｂから第１レンズアレイプレート３０４ａの方向へ出射された光線における迷光成分を遮光し、かつ第１レンズアレイプレート３０４ａと第２レンズアレイプレート３０４ｂとの間の間隔を確保するものである。
【０１６０】
入射遮光プレート３０６は、半導体発光素子１０７から第２レンズアレイプレート３０４ｂへ入射される迷光成分を遮光するものである。
【０１６１】
レンズカバープレート３０３、第１レンズアレイプレート３０４ａ、隔壁遮光プレート３０５、第２レンズアレイプレート３０４ｂ、および入射遮光プレート３０６の各部材間は、クランプ部材３１４により挟持されて相互に固定されている。
【０１６２】
半導体発光素子１０７を実装したプリント配線基板１０８は、レンズユニット３０２における第２レンズアレイプレート３０４ｂの下面極値点との距離Ｌｏが設計された光学距離となるように、図１７に示す基板当接部３１０とプリント配線基板１０８の表面とを当接させることで位置決めされる。
【０１６３】
プリント配線基板１０８は、図１７に示すベースクランプ部材１１１をレンズホルダ３０９の側面に設けられたクランプ孔に係合させることにより、レンズホルダ３０９側に設けた基板当接部３１０と挟持されて固定される。
【０１６４】
次に、レンズユニット３０２の積層構成を図１８から図２４を用いて説明する。
【０１６５】
まず、図１８は第３の実施例におけるレンズユニットの斜視図である。
【０１６６】
図１８に示すレンズユニット３０２の長手方向における中央部では、接着剤３１６によってレンズユニット３０２の各構成部材が相互に固着され、レンズユニット３０２の長手方向における複数個所においてはクランプ部材３１４によってレンズユニット３０２の各構成部材が積層された状態で挟持されている。
【０１６７】
図１９は第３の実施例におけるレンズユニットの積層構造の説明図、図２０は第３の実施例におけるレンズユニットの積層構造の拡大図（図１９における領域５１の拡大図）であり、レンズユニット３０２の各構成部材を積層する前の状態を示している。
【０１６８】
図１９および図２０において、レンズユニット３０２は、構成部材として上から順にレンズカバープレート３０３、第１レンズアレイプレート３０４ａ、隔壁遮光プレート３０５、第２レンズアレイプレート３０４ｂ、および入射遮光プレート３０６が積層され、構成されている。
【０１６９】
第１レンズアレイプレート３０４ａと第２レンズアレイプレート３０４ｂとは、同一型により射出成型されたものが望ましく、隔壁遮光プレート３０５の長手方向を回転軸として回転対称となるように相互に配置され、各レンズの光軸を合わせるようにしている。
【０１７０】
図２０は第３の実施例におけるレンズユニットの積層構造の拡大図であり、図１９におけるレンズユニット３０２の長手方向の中央部の領域５１を拡大した図である。図２１は第３の実施例におけるレンズユニットの積層状態の拡大図であり、図２０に示すレンズユニットの各部材を積層した状態を示す図である。
【０１７１】
図２０および図２１において、図１９に示すレンズユニット３０２の長手方向の中央部近傍には、レンズカバープレート３０３の外周縁部と、隔壁遮光プレート３０５および入射遮光プレート３０６における絞りが配置されたアパーチャ領域の外周縁部と、さらには第１レンズアレイプレート３０４ａおよび第２レンズアレイプレート３０４ｂにおけるレンズアレイが配置された領域の外周縁部とにおいて、各部材の長手方向を規制して位置決めする係合部としての溝３２３ａと、係合部としての凹部３２５ａ、３２５ｂ、３２６ａ、３２６ｂと、係合部としての凸部３２４１ａ、３２４１ｂ、３２４２ａ、３２４２ｂと、が形成されている。
【０１７２】
この溝３２３ａおよび凹部３２５ａ、３２５ｂ、３２６ａと、凸部３２４１ａ、３２４１ｂ、３２４２ａ、３２４２ｂとは、図２１に示すように、それぞれ嵌合されると、各部材が相互に係合され長手方向に、例えば最大公差が１０μｍ程度となるように高精度に位置決めすることができる。
【０１７３】
溝３２３ａはレンズカバープレート３０３の外周縁部に、凹部３２５ａ、３２５ｂは隔壁遮光プレート３０５の外周縁部に、凹部３２６ａ、３２６ｂは入射遮光プレート３０６の外周縁部に、凸部３２４１ａ、３２４１ｂは第１レンズアレイプレート３０４ａの外周縁部に、凸部３２４２ａ、３２４２ｂは第２レンズアレイプレート３０４ｂの外周縁部に形成されている。
【０１７４】
図２２は第３の実施例におけるレンズユニットの積層構造の拡大図であり、図１９におけるレンズユニット３０２の長手方向の中央部以外の領域５２を拡大した図である。図２３は第３の実施例におけるレンズユニットの積層状態の拡大図であり、図２２に示すレンズユニットの各部材を積層した状態を示す図である。
【０１７５】
図２２および図２３において、図１９に示すレンズユニット３０２の長手方向の中央部以外の複数個所には、レンズカバープレート３０３の外周縁部と、隔壁遮光プレート３０５および入射遮光プレート３０６における絞りが配置されたアパーチャ領域の外周縁部と、さらには第１レンズアレイプレート３０４ａおよび第２レンズアレイプレート３０４ｂにおけるレンズアレイが配置された領域の外周縁部とにおいて、各部材の短手方向および光軸方向を規制して位置決めする係合部としての凸部３２３ｂ、３２３ｃ、３２５ｃ、３２５ｄ、３２５ｅ、３２５ｆ、３２６ｃ、３２６ｄと、係合部としての凹部３２４１ｃ、３２４１ｄ、３２４２ｃ、３２４２ｄとが形成されている。
【０１７６】
この凸部３２３ｂ、３２３ｃ、３２５ｃ、３２５ｄ、３２５ｅ、３２５ｆ、３２６ｃ、３２６ｄと、凹部３２４１ｃ、３２４１ｄ、３２４２ｃ、３２４２ｄとは、図２３に示すように、それぞれ嵌合されると、各部材が相互に係合され、短手方向および光軸方向に、例えば最大公差が１０μｍ程度となるように高精度に嵌合および積層される。
【０１７７】
凸部３２３ｂ、３２３ｃはレンズカバープレート３０３の外周縁部に、凸部３２５ｃ、３２５ｄ、３２５ｅ、３２５ｆは隔壁遮光プレート３０５の外周縁部に、凸部３２６ｃ、３２６ｄは入射遮光プレート３０６の外周縁部に、凹部３２４１ｃ、３２４１ｄは第１レンズアレイプレート３０４ａの外周縁部に、凹部３２４２ｃ、３２４２ｄは第２レンズアレイプレート３０４ｂの外周縁部に形成されている。
【０１７８】
また、レンズカバープレート３０３、第１レンズアレイプレート３０４ａ、隔壁遮光プレート３０５、第２レンズアレイプレート３０４ｂ、および入射遮光プレート３０６のリブの側面には、各部材を積層した後、図２１に示す接着剤３３６によって各部材間を接着固定できるように、各部材の側面において積層方向に延び、接着剤３３６が装填される図２０に示す凹部３２３ｊ、３２４１ｅ、３２５ｇ、３２４２ｅ、３２６ｅが形成されている。
【０１７９】
図２４は第３の実施例におけるレンズユニットのクランプ構造の説明図であり、図２３に示すレンズユニットの各部材をクランプ部材で挟持して固定した状態を示す図である。
【０１８０】
図１９に示すレンズユニット３０２の長手方向における中央部以外の複数の部位は、プリントヘッド３０１（図１６参照）の周囲の温度や湿度環境によって、レンズカバープレート３０３、第１レンズアレイプレート３０４ａ、隔壁遮光プレート３０５、第２レンズアレイプレート３０４ｂ、および入射遮光プレート３０６の各材料における線膨張係数に依存した伸縮が発生することを考慮し、本実施例では、各部材を接着剤により相互に固定するのではなく、各部材を係合部で相互に係合させ、各部材の長手方向と直交する短手方向およびレンズの光軸方向を規制するとともに、レンズユニット３０２の長手方向に自由に摺動できるようにしている。
【０１８１】
図２３に示すように、各部材の外周縁部上に係合部としての摺動凸部３２３ｂ、３２３ｃ、３２５ｃ、３２５ｄ、３２５ｅ、３２５ｆ、３２６ｃ、３２６ｄと、係合部としての摺動凹部３２４１ｃ、３２４１ｄ、３２４２ｃ、３２４２ｄとが形成されている。
【０１８２】
摺動凹部３２４１ｃ、３２４１ｄ、３２４２ｃ、３２４２ｄは、摺動凸部３２３ｂ、３２３ｃ、３２５ｃ、３２５ｄ、３２５ｅ、３２５ｆ、３２６ｃ、３２６ｄと対応するように形成されている。
【０１８３】
また、摺動凸部３２３ｂ、３２３ｃ、３２５ｃ、３２５ｄ、３２５ｅ、３２５ｆ、３２６ｃ、３２６ｄと、摺動凹部３２４１ｃ、３２４１ｄ、３２４２ｃ、３２４２ｄとが嵌合した状態で各部材がレンズユニット３０２の長手方向にのみ自由に摺動できるようにするため、摺動凹部３２４１ｃ、３２４１ｄ、３２４２ｃ、３２４２ｄのレンズユニット３０２の長手方向の寸法は、摺動凸部３２３ｂ、３２３ｃ、３２５ｃ、３２５ｄ、３２５ｅ、３２５ｆ、３２６ｃ、３２６ｄのレンズユニット３０２の長手方向の寸法より摺動可能な距離だけ長くなるように形成されている。
【０１８４】
このように、本実施例では、レンズユニット３０２の長手方向に複数配置された摺動凸部３２３ｂ、３２３ｃ、３２５ｃ、３２５ｄ、３２５ｅ、３２５ｆ、３２６ｃ、３２６ｄと、摺動凹部３２４１ｃ、３２４１ｄ、３２４２ｃ、３２４２ｄとにより嵌合構造３３０を形成し、それぞれのレンズの光軸が合うように、積層されたレンズユニット３０２の各部材を相互に係合させる。
【０１８５】
図２４に示すように、クランプ部材３１４を、図２３に示す嵌合構造３３０を覆うように、レンズカバープレート３０３の外縁部に形成された凹部３２３ｄと、入射遮光プレート３０６の外縁部に形成された凹部３２６ｆとに嵌合させて取り付ける。クランプ部材３１４は、レンズユニットの長手方向において少なくとも１つの嵌合構造３３０に対応する位置に配置され、積層されたすべての部材を短手方向の両端部で挟むようにしている。
【０１８６】
クランプ部材３１４と係合し、接触する係合部としての凹部３２３ｄ、３２６ｆは、クランプ部材３１４の抜けを防止するため、レンズユニット３０２の短手方向の中央に向かって窪み量が大きくなるようなテーパー状に形成されている。
【０１８７】
また、レンズユニット３０２の長手方向において、クランプ部材３１４の端部と、凹部３２３ｄ、３２６ｆの端部との間には、クリアランスｃ８が設けられるように、クランプ部材３１４の両端部および凹部３２３ｄ、３２６ｆの両端部が形成され、クランプ部材３１４が嵌め込まれる。
【０１８８】
このように、クランプ部材３１４と凹部３２３ｄ、３２６ｆを形成するのは、使用するプリントヘッド３０１（図１６参照）の周囲の温度や湿度環境によって、レンズユニット３０２が長手方向に伸縮した際、レンズホルダ３０９との線膨張係数差により生じた変位量を吸収するためであり、クランプ部材３１４と、レンズカバープレート３０３、第１レンズアレイプレート３０４ａ、隔壁遮光プレート３０５、第２レンズアレイプレート３０４ｂ、および入射遮光プレート３０６の各部材との間で自由に摺動できるようにしている。
【０１８９】
なお、クリアランスｃ８は、図１７に示すレンズユニット３０２を構成するレンズカバープレート３０３、隔壁遮光プレート３０５、および入射遮光プレート３０６と、レンズホルダ３０９との温度および吸水による線膨張係数を鑑みて決定される。
【０１９０】
ここで、レンズカバープレート３０３に形成された凹部３２３ｄの構成を図２５、図２６および図２７に基づいて説明する。
【０１９１】
図２５は第３の実施例におけるレンズカバープレートの凹部の斜視図、図２６および図２７は第３の実施例におけるレンズカバープレートの凹部の断面図である。図２６は図２５におけるＥ―Ｅ矢視断面図、図２７は図２５におけるＦ―Ｆ矢視断面図である。
【０１９２】
図２５、図２６および図２７において、レンズカバープレート３０３の短手方向の幅Ｗ１は、第１レンズアレイプレート３０４ａ、隔壁遮光プレート３０５、第２レンズアレイプレート３０４ｂ、および入射遮光プレート３０６の短手方向の幅Ｗ２よりも大きく形成されている。
【０１９３】
凹部３２３ｄは、レンズカバープレート３０３の短手方向における両端部に形成され、積層されたレンズカバープレート３０３、第１レンズアレイプレート３０４ａ、隔壁遮光プレート３０５、第２レンズアレイプレート３０４ｂ、および入射遮光プレート３０６の各部材を挟持するクランプ部材３１４が係合される。
【０１９４】
それぞれの凹部３２３ｄの長手方向における両端部には、クランプ部材３１４の先端部３１４ａが当接する傾斜部３２３ｅがそれぞれ形成されている。
【０１９５】
この傾斜部３２３ｅは、図２６に示すように、レンズカバープレート３０３の短手方向の中央部が各部材の積層方向において高くなるように形成され、凹部３２３ｄに挿入されるクランプ部材３１４の先端部３１４ａを案内する。
【０１９６】
また、レンズカバープレート３０３の短手方向において傾斜部３２３ｅより中央部側が窪むテーパー部３２３ｇが形成されている。このテーパー部３２３ｇは、傾斜部３２３ｅに連続するように形成され、傾斜部３２３ｅで案内されたクランプ部材３１４の先端部３１４ａが凹部３２３ｄから抜けないように保持する。
【０１９７】
このように、本実施例では、係合部としての凹部３２３ｄは、レンズカバープレート３０３の短手方向における中央部に向かって凸状に傾斜する第１の傾斜部としての傾斜部３２３ｅと、傾斜部３２３ｅより短手方向における中央部に向かって凹状に傾斜する第２の傾斜部としてのテーパー部３２３ｇとを有している。
【０１９８】
図２５に示すように、レンズカバープレート３０３の長手方向における２つの傾斜部３２３ｅの間には、幅Ｗ３が保持された切り欠き部３２３ｆが形成されており、その幅Ｗ３は嵌合するクランプ部材３１４の２つの切り欠き部３１４ｃ間の幅Ｗ４より広く形成されている。
【０１９９】
また、レンズカバープレート３０３の短手方向におけるそれぞれの切り欠き部３２３ｆの深さは、図２７に示すように、レンズカバープレート３０３、第１レンズアレイプレート３０４ａ、隔壁遮光プレート３０５、第２レンズアレイプレート３０４ｂ、および入射遮光プレート３０６の各部材の短手方向における側面が同一面を形成するように深さＷ３ａとして形成されている。
【０２００】
このように、本実施例では、傾斜部３２３ｅは、レンズカバープレート３０３の長手方向におけるクランプ部材３１４の一端側および他端側（レンズカバープレート３０３の長手方向における一端側および他端側）に形成された先端当接部としての先端部３１４ａと当接する２つの傾斜部として形成され、その２つの傾斜部間に切り欠き部３２３ｆが形成されている。
【０２０１】
また、テーパー部３２３ｇは、レンズカバープレート３０３の長手方向において連続するように形成されており、傾斜部３２３ｅが切り欠けられている領域（切り欠き部３２３ｆに対応する領域）においてもクランプ部材３１４と当接している。
【０２０２】
なお、本実施例では、レンズカバープレート３０３の短手方向の幅Ｗ１を、第１レンズアレイプレート３０４ａ、隔壁遮光プレート３０５、第２レンズアレイプレート３０４ｂ、および入射遮光プレート３０６の短手方向の幅Ｗ２よりも大きく形成するようにしたが、入射遮光プレート３０６の短手方向の幅をレンズカバープレート３０３、第１レンズアレイプレート３０４ａ、隔壁遮光プレート３０５、および第２レンズアレイプレート３０４ｂの短手方向の幅よりも大きく形成するようにしても良い。すなわち、凹部３２３ｄを形成するレンズユニット３０２の最上層または最下層の部材の短手方向の幅を、他の部材の短手方向の幅よりも大きく設定するようにすれば良い。
【０２０３】
次に、クランプ部材の構成を図２８の第３の実施例におけるクランプ部材の説明図に基づいて説明する。
【０２０４】
図２８において、クランプ部材３１４は、レンズカバープレート３０３の凹部３２３ｄ（図２３参照）と係合する先端部３１４ａと、凹部３２６ｆ（図２３参照）と係合する先端部３１４ｂとを有している。
【０２０５】
クランプ部材３１４の先端部３１４ａと先端部３１４ｂとの間の開口幅ｈ１は、図２７に示す積層された各部材としてのレンズカバープレート３０３、第１レンズアレイプレート３０４ａ、隔壁遮光プレート３０５、第２レンズアレイプレート３０４ｂ、および入射遮光プレート３０６の幅（高さ）ｈ２よりも狭くなるように設定されている。
【０２０６】
したがって、レンズユニット３０２の積層された各部材にクランプ部材３１４の先端部３１４ａと先端部３１４ｂとを嵌め込むことにより、クランプ部材３１４の先端部３１４ａと先端部３１４ｂは撓み、その先端部３１４ａと先端部３１４ｂとにより積層された各部材を挟むことにより、各部材が保持固定される。
【０２０７】
また、クランプ材３１４の図中上下方向（図２７に示す各部材の積層方向）における両端部に、先端部３１４ａと連続する２つの切り欠き部３１４ｃおよび先端部３１４ｂと連続する２つの切り欠き部３１４ｃが形成されている。
【０２０８】
クランプ材３１４の先端部３１４ａと連続する２つの切り欠き部３１４ｃ間には、図２５に示す切り欠き部３２３ｆに対応して幅Ｗ４を保持した幅狭部３１４ｄが形成されている。
【０２０９】
なお、本実施例では、切り欠き部３１４ｃをクランプ材３１４の図中上下方向における両端部に形成するようにしたが、どちらか一方の端部に形成するようにしても良い。
また、本実施例によるレンズユニット３０２およびプリントヘッド３０１は、第１の実施例で説明したレンズユニットおよびプリントヘッドと同様の部材料で構成することができる。
【０２１０】
上述した構成の作用について説明する。
【０２１１】
図１６および図１７に示すプリントヘッド３０１に用いるレンズユニット３０２の作用を図２９〜図３２を参照しながら説明する。
【０２１２】
図２９は第３の実施例におけるクランプ部材をレンズユニットに嵌め込む動作の説明図であり、図２９（ｂ）は図２９（ａ）における領域５２の拡大図である。図３０は第３の実施例におけるレンズユニットおよびクランプ部材の断面図であり、図２９（ａ）におけるＧ−Ｇ矢視断面図である。
【０２１３】
図３１は第３の実施例におけるクランプ部材をレンズユニットに嵌め込み後の説明図であり、図３１（ｂ）は図３１（ａ）における領域５３の拡大図である。図３２は第３の実施例におけるレンズユニットおよびクランプ部材の断面図であり、図３１（ａ）におけるＨ−Ｈ矢視断面図である。
【０２１４】
図２９および図３０に示すように、まず、各部材が積層されたレンズユニット３０２の最下層に配置される入射遮光プレート３０６に形成された凹部３０６ｄにクランプ部材３１４の一方（下方）の先端部３１４ｂを当接させ、凹部３０６ｄに当接した先端部３１４ｂの稜線部を回転支点としてクランプ部材３１４をレンズユニット３０２の短手方向における中央部側に向かって回動させる。
【０２１５】
クランプ部材３１４を回動させると、クランプ部材３１４の他方（上方）に形成された先端部３１４ａが、レンズカバープレート３０３に形成された傾斜部３２３ｅに当接する。
【０２１６】
さらに、クランプ部材３１４がレンズユニット３０２の短手方向における中央部側に向かって押し込まれると、クランプ部材３１４が撓み、クランプ部材３１４の先端部３１４ａが傾斜部３２３ｅに沿って案内され、先端部３１４ａは傾斜部３２３ｅの頂部を通り過ぎ、さらにテーパー部３２３ｇを通り過ぎると、図３２に示すように、クランプ部材３１４の先端部３１４ａは凹部３２３ｄの最下部３２３ｈに到達する。
【０２１７】
傾斜部３２３ｅは、レンズカバープレート３０３および第１レンズアレイプレート３０４ａの積層方向において先端部３１４ａを開く方向に変形させ、またテーパー部３２３ｇは、先端部３１４ａを引き込み、レンズカバープレート３０３の短手方向における中央部に向けて案内する。
【０２１８】
クランプ部材３１４の先端部３１４ａが凹部３２３ｄの最下部３２３ｈに到達すると、切り欠き部３２３ｆと幅狭部３１４ｄとが対応し、クランプ部材３１４がレンズユニット３０２の第１レンズアレイプレート３０４ａ、隔壁遮光プレート３０５、第２レンズアレイプレート３０４ｂ、および入射遮光プレート３０６の各部材を挟持する位置に配置され、各部材の短手方向における端面は面一となり、クランプ部材３１４の面部３１４ｅと対向する。
【０２１９】
図３１および図３２に示すように、クランプ部材３１４の先端部３１４ａが凹部３２３ｄの最下部３２３ｈに到達すると、積層されたレンズユニット３０２の各部材は、クランプ部材３１４に挟持され、その力により積層状態が保持されて固定される。
【０２２０】
また、クランプ部材３１４の先端部３１４ａが凹部３２３ｄの最下部３２３ｈに到達すると、クランプ部材３１４に形成された切り欠き部３１４ｃが、レンズカバープレート３０３に形成された傾斜部３２３ｅを避け、クランプ部材３１４の先端部３１４ａがレンズカバープレート３０３の凹部３２３ｄ内に収まる。
【０２２１】
各部材がクランプ部材３１４に挟持されて保持固定されたレンズユニット３０２は、図１７に示すように、レンズホルダ３０９に対して、レンズホルダ３０９上面におけるスリット部３０９ａにおいて、クランプ部材３１４を介して接着剤３１３を接着させて固着される。
【０２２２】
このように、本実施例では、複数の部材が積層されたレンズユニット３０２の最下層または最上層のいずれか一方の部材の短手方向における幅を他の部材の短手方向における幅よりも大きくした部位に、クランプ部材３１４を嵌め込む際にクランプ部材３１４の先端部３１４ａが当接する傾斜部３２３ｅを形成したことにより、嵌め込まれるクランプ部材３１４の先端部３１４ａを傾斜部３２３ｅで案内するとともに、クランプ部材３１４を撓ませることができる。
【０２２３】
したがって、レンズユニット３０２の各部材を容易にクランプ部材３１４で挟持することができ、レンズユニット３０２を容易に組み立てることができるようになる。さらに、レンズユニット３０２の組み立て工数を削減することができることから安価な露光装置としてのプリントヘッド３０１を提供することができる。
【０２２４】
また、レンズユニット３０２の最下層または最上層のいずれか一方の部材に形成された２つの傾斜部３２３ｅの間に、クランプ部材３１４の幅（図２８に示す幅狭部３１４ｄの幅Ｗ４）より大きい幅（図２５に示す幅Ｗ３）の切り欠き部３２３ｆを形成し、レンズユニット３０２の短手方向における切り欠き部３２３ｆの深さを、レンズカバープレート３０３、第１レンズアレイプレート３０４ａ、隔壁遮光プレート３０５、第２レンズアレイプレート３０４ｂ、および入射遮光プレート３０６の各部材が同一面を形成するように設定したことにより、レンズユニット３０２を挿入するレンズホルダ３０９の開口幅を狭くすることができ、プリントヘッド３０１の小型化が図れる。
【０２２５】
さらに、クランプ部材３１４の上下端の一部に切り欠き部３１４ｃを形成するようにしたことにより、レンズユニット３０２の長手方向のクランプ部材３１４の幅を十分に確保することができ、積層されたレンズユニット３０２の各部材を十分な力で挟持し、保持固定することができる。したがって、レンズユニット３０２の温湿度等の環境変動、経時変動の影響を受け難くすることができる。
【０２２６】
また、第１の実施例と同様に、第１レンズアレイプレート３０４ａの長手方向と直交する短手方向において、第１レンズアレイプレート３０４ａよりも幅が広いレンズカバープレート３０３を配置しているため、レンズユニット３０２への埃等の異物の侵入を防止することができるため、レンズユニット３０２の生産性を安定させることができる。
【０２２７】
なお、本実施例でも第１の実施例と同様に、プリントヘッド３０１を画像形成装置に適用することができ、またレンズユニット３０２を用いてイメージセンサヘッドを構成することができ、さらにイメージセンサヘッドを画像読取装置に適用することができる。
【０２２８】
以上説明したように、第３の実施例では、第１レンズアレイプレートの短手方向において、第１レンズアレイプレートよりも幅が広いレンズカバープレートを配置するようにしたことにより、レンズユニットへの埃等の異物の侵入を防止することができ、レンズユニットの生産性を安定させることができるという効果が得られる。
【０２２９】
また、レンズユニットに嵌め込まれるクランプ部材の先端部を傾斜部で案内するとともに、クランプ部材を撓ませることができ、したがってレンズユニットの各部材を容易にクランプ部材で挟持することができ、レンズユニットを容易に組み立てることができるという効果が得られる。
【０２３０】
さらに、レンズユニットを挿入するレンズホルダの開口幅を狭くすることができ、プリントヘッドの小型化が図れるという効果が得られる。
【０２３１】
また、積層されたレンズユニットの各部材を十分な力で挟持し、保持固定することができ、レンズユニットの温湿度等の環境変動、経時変動の影響を受け難くすることができるという効果が得られる。
【０２３２】
なお、第１の実施例から第３の実施例では、画像形成装置をプリンタとして説明したが、それに限られるものでなく、複写機、ファクシミリ装置、複合機（ＭＦＰ）等としても良い。
【０２３３】
また、画像形成装置を直接転写方式のプリンタとして説明したが、それに限られるものでなく、中間転写体を有する中間転写方式のプリンタ、複写機、ファクシミリ装置、複合機（ＭＦＰ）等としても良い。
【０２３４】
さらに、画像読取装置をイメージスキャナとして説明したが、それに限られるものでなく、複写機、ファクシミリ装置、複合機（ＭＦＰ）等としても良い。
【０２３５】
また、積層されたレンズユニットを挟持するクランプ部材をバネ用ステンレス材料で形成した例で説明したが、射出成型により成形されたプラスチック材料で形成するようにしても良い。
【符号の説明】
【０２３６】
１０１、２０１、３０１  プリントヘッド
１０２、２０２、３０２  レンズユニット
１０３、２０３、３０３  レンズカバープレート
１０４ａ、２０４ａ、３０４ａ  第１レンズアレイプレート
１０４ｂ、２０４ｂ、３０４ｂ  第２レンズアレイプレート
１０５、２０５、３０５  隔壁遮光プレート
１０６、２０６、３０６  入射遮光プレート
１０７  半導体発光素子
１０８  プリント配線基板
１０９、２０９、３０９  レンズホルダ
１１０、３１０  基板当接部
１１１  ベースクランプ部材
１１３、２１３  封止材
１１４、２１４、３１４  クランプ部材
１１５、３１３、３１６  接着剤
１１８、１２０ａ、１２０ｂ、１２２、１２３、１２５ａ、１２５ｂ、１２７、３２３ｂ、３２３ｃ、３２４１ａ、３２４１ｂ、３２４２ａ、３２４２ｂ、３２６ｃ、３２６ｄ  凸部
１１９ａ、１１９ｂ、１２１ａ、１２１ｂ、１２４ａ、１２４ｂ、１２６ａ、１２６ｂ、３２３ｄ、３２５ａ、３２５ｂ、３２６ａ、３２６ｂ、３２６ｆ  凹部
１４０  イメージセンサヘッド
３０９ａ  スリット部
３１４ａ、３１４ｂ  先端部
３１４ｃ、３２３ｆ  切り欠き部
３１４ｄ  幅狭部
３２３ａ  溝
３２３ｅ  傾斜部
３２３ｇ  テーパー部
３２３ｈ  最下部
４０１  イメージスキャナ
５０１  プリンタ
【図１】
2018049158.tif 000003
【図２】
2018049158.tif 000004
【図３】
2018049158.tif 000005
【図４】
2018049158.tif 000006
【図５】
2018049158.tif 000007
【図６】
2018049158.tif 000008
【図７】
2018049158.tif 000009
【図８】
2018049158.tif 000010
【図９】
2018049158.tif 000011
【図１０】
2018049158.tif 000012
【図１１】
2018049158.tif 000013
【図１２】
2018049158.tif 000014
【図１３】
2018049158.tif 000015
【図１４】
2018049158.tif 000016
【図１５】
2018049158.tif 000017
【図１６】
2018049158.tif 000018
【図１７】
2018049158.tif 000019
【図１８】
2018049158.tif 000020
【図１９】
2018049158.tif 000021
【図２０】
2018049158.tif 000022
【図２１】
2018049158.tif 000023
【図２２】
2018049158.tif 000024
【図２３】
2018049158.tif 000025
【図２４】
2018049158.tif 000026
【図２５】
2018049158.tif 000027
【図２６】
2018049158.tif 000028
【図２７】
2018049158.tif 000029
【図２８】
2018049158.tif 000030
【図２９】
2018049158.tif 000031
【図３０】
2018049158.tif 000032
【図３１】
2018049158.tif 000033
【図３２】
2018049158.tif 000034